(57)【要約】【課題】  無線子機と相手側端末との間の縁組処理を改善した無線情報収集システムを提供する。【解決手段】  センタ側装置と接続された無線親機と、検知装置と接続され、該検知装置が検知した検知情報を縁組された端末に対して送信する無線子機とを備える無線情報収集システムにおいて、無線子機は、複数の相手側端末から該相手側端末の識別情報を含む電文を受信し、複数の相手側端末のうち縁組を行う一の端末の識別情報を、複数の相手側端末に対して同報送信する。【選択図】  図４
2015019214.tif 000002
【特許請求の範囲】
【請求項１】
センタ側装置と接続された無線親機と、検知装置と接続され、該検知装置が検知した検知情報を縁組された端末に対して送信する無線子機とを備える無線情報収集システムにおいて、
前記無線子機は、複数の相手側端末から該相手側端末の識別情報を含む電文を受信し、前記複数の相手側端末のうち縁組を行う一の端末の識別情報を、前記複数の相手側端末に対して同報送信する
無線情報収集システム。
【請求項２】
前記相手側端末は、前記無線子機から前記電文を受信した場合、受信した識別情報と、自己の識別情報とが不一致のときには、縁組が失敗したことを示す縁組失敗表示を行う請求項１に記載の無線情報収集システム。
【請求項３】
前記縁組失敗表示には、縁組が完了した前記相手側端末を示す表示が含まれる請求項２に記載の無線情報収集システム。
【請求項４】
前記縁組失敗表示は、ＬＥＤ等の点灯、消灯又は点滅によってなされる請求項２又は３に記載の無線情報収集システム。
【請求項５】
前記無線情報収集システムは、前記無線親機と前記無線子機との間の通信を中継する中継機をさらに備え、
前記無線子機は、前記無線親機又は前記中継機と縁組される
請求項１〜４のいずれか１に記載の無線情報収集システム。
【発明の詳細な説明】
【技術分野】
【０００１】
本発明は、例えばガス、水道又は電気の使用量等の検知情報を収集する無線情報収集システムに関する。
【背景技術】
【０００２】
ガスや水道、電気のメータ等に接続された無線子機、及び無線子機と無線通信可能な無線親機を備え、無線子機が収集したメータ等の検知情報を、無線親機を介してセンタ側装置に送信する無線情報収集システムが知られている。また、無線情報収集システムには、無線親機と無線子機との間の通信を中継する中継機を備えるものも知られている。
【０００３】
ここで、無線情報収集システムにおいて、新たに無線子機を設置する場合、無線子機は、通信を行う無線親機又は中継機と予め縁組を行う必要がある。そこで、無線子機と相手側端末との縁組処理を円滑に行うことを目的とする無線情報収集システムが開発されている（例えば、特許文献１）。
【０００４】
特許文献１に記載された無線テレメータシステムでは、以下の流れで無線子機と無線親機又は中継機とを縁組することが記載されている。まず、無線子機は、外部設定器等によって登録された無線親機の識別符号を含む同報電文を、複数の相手側端末に対して送信する。次に、電文を受け取った無線親機又は中継機は、電文の中身を解析し、無線親機においては、電文に含まれる識別符号と自身の識別符号とが一致したとき、また、中継機においては、電文に含まれる識別符号と自身と縁組されている無線親機との識別符号が一致したとき、無線子機へ返信電文を送信する。そして、無線子機は、返信電文を受信した無線親機又は中継機のうち、選択された一の端末に対して縁組電文を送信し、縁組電文を受信した無線親機又は中継機は、無線子機へ縁組返信電文を送信するとともに縁組結果を自ら表示する。
【先行技術文献】
【特許文献】
【０００５】
【特許文献１】特開２００９−９８７４６号公報（平成２１年５月７日公開）
【発明の概要】
【発明が解決しようとする課題】
【０００６】
しかしながら、特許文献１に記載の無線テレメータシステムにおいては、無線子機は、縁組準備中の無線親機及び中継機のうち、実際に縁組を行う一の相手側端末に対してのみ縁組電文を送信するものであった。すなわち、従来の無線情報収集システムにおいては、縁組準備中であっても無線子機と縁組を行わない相手側端末については何ら考慮されていないものであり、縁組準備中の端末は、無線子機が他の相手側端末と縁組を行った後も待機状態を継続することとなり、速やかに他の処理に移行できないものであった。
【０００７】
本願発明は、上記の事情に鑑みてなされたものであり、その目的は、無線子機と相手側端末との間の縁組処理を改善した無線情報収集システムを提供することにある。
【課題を解決するための手段】
【０００８】
本発明に係る無線情報収集システムは、センタ側装置と接続された無線親機と、検知装置と接続され、該検知装置が検知した検知情報を縁組された端末に対して送信する無線子機とを備える無線情報収集システムにおいて、無線子機は、複数の相手側端末から該相手側端末の識別情報を含む電文を受信し、複数の相手側端末のうち縁組を行う一の端末の識別情報を、複数の相手側端末に対して同報送信する。
【発明の効果】
【０００９】
本発明によれば、無線子機との縁組の準備状態にある相手側端末は、受信した識別情報と自己の識別情報とを比較することで、無線子機との間の縁組の成否を知ることができるので、無線子機と相手側端末との間の縁組処理を改善した無線情報収集システムを提供することができる。
【図面の簡単な説明】
【００１０】
【図１】本発明の実施形態１に係る無線情報収集システム１００等の概要を示す模式図である。
【図２】本発明の実施形態１に係る無線親機１１０の主な構成を示すブロック図である。
【図３】本発明の実施形態１に係る無線子機１３０の主な構成を示すブロック図である。
【図４】本発明の実施形態１に係る無線情報収集システム１００の縁組処理の流れを示すフローチャートである。
【図５】本発明の実施形態２に係り、無線子機１３０と縁組した上流側端末を示す表示の一例を示す模式図である。
【図６】本発明の実施形態５に係る無線情報収集システム１００ａ等の概要を説明する模式図である。
【発明を実施するための形態】
【００１１】
［実施形態１］
本発明の実施形態１に係る無線情報収集システム１００について説明する。
（無線情報収集システム１００の構成）
図１は、無線情報収集システム１００等の概要を示す模式図である。無線情報収集システム１００は、無線親機１１０、中継機１２０及び無線子機１３０を備えている。本実施形態の無線情報収集システム１００は、所謂ツリー型のネットワークトポロジを採用している。
【００１２】
無線親機１１０は、複数の中継機１２０及び複数の無線子機１３０をその配下に有し、該複数の中継機１２０及び該複数の無線子機１３０と無線にてデータ通信可能に接続されている。中継機１２０は、複数の無線子機１３０をその配下に有し、無線子機１３０と無線にてデータ通信可能に接続されている。すなわち、無線親機１１０は、直接に又は中継機１２０を介して、無線子機１３０と無線にてデータ通信可能に接続されている。無線は、例えば、標準規格「ＡＲＩＢ・ＳＴＤ−Ｔ６７」に準拠したものを用いることができる。
【００１３】
ここで、無線子機１３０から見た無線親機１１０及び中継機１２０を上流側端末という。他方、無線親機１１０から見た中継機１２０及び無線子機１３０を下流側端末という。中継機１２０から見た無線親機１１０は、上流側端末であり、中継機１２０から見た無線子機１３０は、下流側端末である。
【００１４】
また、無線親機１１０は、回線１３にてセンタ側装置１１とデータ通信可能に接続されている。センタ側装置１１は、コンピュータ及び回線１３と接続するためのＮＣＵ（Network Control Unit）を備えている。回線１３は、例えば電話回線等の有線を用いてもよく、例えば移動体通信網等の無線を用いてもよい。また、無線子機１３０は、メータ１２と有線にて接続されている。メータ１２は、例えばガスや水道、電気等の使用量を検知情報として検知するものである。
【００１５】
以上のように無線情報収集システム１００を構成することによって、無線情報収集システム１００を介して、センタ側装置１１とメータ１２とが接続されるので、センタ側装置１１は、メータ１２の検知情報を収集することができる。
【００１６】
（無線親機１１０及び無線子機１３０の構成）
図２は、無線親機１１０の主な構成を示すブロック図である。
【００１７】
無線親機１１０は、制御部１１１及び記憶部１１２を備えている。制御部１１１は、後述する記憶部１１２に記憶されたプログラム又はデータに基づいて、無線親機１１０の各部を統括して制御するものである。また、制御部１１１は、時計及びタイマとしての機能を有する計時部を備えていてもよい。
【００１８】
記憶部１１２は、制御部１１１が実行する各種プログラム、各種プログラムを実行する際に使用及び作成される各種データ並びに無線親機１１０に入力される各種データ等を記憶するものである。記憶部は、例えば、ＲＯＭ（Read Only Memory）、フラッシュメモリ、ＨＤＤ（Hard Disk Drive）等の不揮発性記憶装置及び作業領域を構成するＲＡＭ（Random Access Memory）等の揮発性記憶装置から構成されている。
【００１９】
また、記憶部１１２は、自局側ＩＤ記憶部１１２１及び他局側ＩＤ記憶部１１２２を含んでいる。自局側ＩＤ記憶部１１２１は、予め自局に割り当てられた識別情報を記憶するものである。他局側ＩＤ記憶部１１２２は、後述する縁組処理によって自局と縁組された下流側端末の識別情報を記憶するものである。ここで、識別情報は、自局を他局から識別させるための情報であり、例えば数字、文字及び／又は符号を示す情報から構成されている。
【００２０】
また、無線親機１１０は、無線通信部１１３及びアンテナ１１４をさらに備えている。無線通信部１１３は、他局とデータ通信を行うものである。
【００２１】
また、無線親機１１０は、センタ側インタフェース部１１５をさらに備えている。センタ側インタフェース部１１５は、無線親機１１０とセンタ側装置との間の情報のやりとりを行うためのものである。
【００２２】
また、無線親機１１０は、表示部１１６、操作部１１７及び電源部１１８をさらに備えている。表示部１１６は、各種情報の表示を行うものであり、例えばＬＥＤ（Light Emitting Diode）等から構成される。操作部１１７は、無線親機１１０に対して各種情報の入力を行うためのものであり、例えば、ＤＩＰ（Dual in-line package）スィッチやその他の操作ボタン等から構成される。電源部１１８は、無線親機１１０に電力を供給するものであり、例えば、電池が用いられる。
【００２３】
図３は、無線子機１３０の主な構成を示すブロック図である。無線子機１３０は、制御部１３１、記憶部１３２、無線通信部１３３、アンテナ１３４、表示部１３６、操作部１３７及び電源部１３８を備えている。これらの各構成は、上述した無線親機１１０の対応する構成と同様の機能を有するものであり、説明を省略する。なお、記憶部１３２の他局側ＩＤ記憶部１３２２においては、自局と縁組された上流側端末の識別情報を記憶している。
【００２４】
また、無線子機１３０は、メータ側インタフェース部１３５を備えている。メータ側インタフェース部１３５は、無線子機１３０とメータ１２との間の情報のやりとりを行うためのものである。
【００２５】
本実施形態の中継機１２０は、無線子機と同様の構成を有するものとして説明を省略する。なお、中継機１２０の記憶部においては、他局側の識別番号として、自局と縁組された上流側端末及び下流側端末の識別情報を記憶している。また、中継機１２０は、メータ側インタフェースを有しており、メータ１２と接続された場合には、該メータ１２の検知情報を上流側端末に送信することができる。
【００２６】
（無線情報収集システム１００の処理の流れ）
次に、無線情報収集システム１００の処理の流れについて説明する。無線情報収集システム１００においては、データ収集の処理を実行するのに先立って、無線情報収集システム１００に含まれる無線親機１１０と、中継機１２０又は無線子機１３０とを縁組する必要がある。まず、無線情報収集システム１００の縁組処理の流れについて説明する。
【００２７】
（無線情報収集システム１００の縁組処理の流れ）
図４は、無線情報収集システム１００の縁組処理の流れを示すフローチャートである。以下では、無線子機１３０と上流側端末１とを縁組する場合について説明する。また、無線子機１３０の無線通信の範囲内には、さらに上流側端末２が存在しているものとする。ここで、上流側端末１及び上流側端末２は、無線親機１１０でもよく、中継機１２０でもよい。なお、図４及びそれ以降で説明するフローチャートにおいて、「ステップ」を「Ｓ」で表す。また、文中でも「Ｓ」は、「ステップ」を表している。
【００２８】
縁組処理を行う場合、まず、縁組を行うそれぞれの端末において、縁組の準備状態である縁組モードを開始させる必要がある。例えば、縁組モードは、それぞれの端末につき、操作部１１７及び操作部１３７を操作することで開始させてもよい。また、例えば、縁組モードを開始させる端末が遠方にあるときには、センタ装置１１や外部設定器等から遠隔操作にて縁組モードを開始させてもよい。以下では、無線子機１３０、上流側端末１及び上流側端末２においてそれぞれ縁組モードの開始の操作がされたものとして説明する（Ｓ１ａ、Ｓ１ｂ、Ｓ１ｃ）。
【００２９】
無線子機１３０は、自局側ＩＤ記憶部１３２１に記憶されている自局の識別情報を含む電文を、上流側端末に同報送信する（Ｓ２ａ）。無線通信の範囲内に存在する上流側端末１及び上流側端末２は、無線子機１３０から送信された電文を受信する（Ｓ２ｂ、Ｓ２ｃ）。
【００３０】
無線子機１３０の電文を受信した上流側端末１及び上流側端末２は、自局側ＩＤ記憶部１１２１に記憶されている自局の識別情報を含む返信電文を無線子機１３０に送信する（Ｓ３ｂ、Ｓ３ｃ）。無線子機１３０は、上流側端末１及び上流側端末２から送信された返信電文を受信する（Ｓ３ａ）。
【００３１】
無線子機１３０は、上流側端末１及び上流側端末２から送信された返信電文のうち、先に受信された電文に含まれる識別情報を他局側ＩＤ記憶部１３２２に格納することで、上流側端末１と縁組処理を行う（Ｓ４ａ）。ここで、無線子機１３０が返信電文を受信した複数の上流側端末から縁組処理を行う一の端末を選ぶ方法は、これだけに限定されない。例えば、無線子機１３０は、受信した返信電文に係る電波強度を検出して、一番強い電波強度が検出された上流側端末と縁組処理を行ってもよい。また、例えば、作業者によって任意の上流側端末が選択されてもよい。この場合、無線子機１３０は、作業者からの操作を受け付けて、該操作に応じた上流側端末につき、縁組処理を行う。以下では、無線子機１３０が上流側端末１との間で縁組されたものとして説明を続ける。なお、上流側端末２は、無線子機１３０の無線通信の範囲内に設置され、例えば他の無線子機１３０と縁組処理を行うために縁組モードとされているものである。
【００３２】
無線子機１３０は、縁組した端末の識別情報を含む縁組電文を上流側端末に同報送信する（Ｓ５ａ）。上流側端末１及び上流側端末２は、無線子機１３０から送信された縁組電文を受信する（Ｓ４ｂ、Ｓ４ｃ）。
【００３３】
上流側端末１は、受信した縁組電文に含まれる識別情報と自局の識別情報とを比較し、識別情報が一致していると判断する（Ｓ５ｂ）。そして、上流側端末１は、無線子機１３０の識別情報を他局側ＩＤ記憶部１１２２に格納することで、無線子機１３０と縁組処理を行う（Ｓ６ｂ）。そして、上流側端末１は、縁組が完了したことを示す縁組返信電文を送信する（Ｓ７ｂ）。最後に、上流側端末１は、表示部１１６に縁組成功の表示を行い（Ｓ８ｂ）、縁組モードを終了する。ここで、縁組成功表示は、例えば、表示部１１６に含まれるＬＥＤの点灯、点滅又は消灯によってすることができる。
【００３４】
他方、上流側端末２は、受信した縁組電文に含まれる識別情報と自局の識別情報とを比較し、識別情報が不一致であると判断する（Ｓ５ｃ）。そして、上流側端末２は、表示部１１６に縁組失敗の表示を行い（Ｓ６ｃ）、上流側端末２は、無線子機１３０と縁組処理を行うことなく、縁組モードを終了する。ここで、縁組失敗表示は、例えば、表示部１１６に含まれるＬＥＤの点灯、点滅又は消灯によってすることができる。
【００３５】
無線子機１３０は、縁組返信電文を上流側端末１から受信する（Ｓ６ａ）。そして、無線子機１３０は、表示部１３６に縁組成功表示を行い（Ｓ７ａ）、縁組モードを終了する。ここで、縁組成功表示は、例えば、表示部１３６に含まれるＬＥＤの点灯、点滅又は消灯によってすることができる。
【００３６】
なお、上流側端末１が中継機１２０である場合、中継機１２０は、自らの識別番号に加えて自らが縁組されている親機１１０の識別情報を含む電文を、無線子機１３０に対して送信してもよい。この場合、無線子機１３０は、中継機１２０の識別情報及び無線親機１１０の識別情報を、他局側ＩＤ記憶部１３２２に格納する。
【００３７】
また、上流側端末１が中継機１２０である場合、縁組処理が完了した無線子機１３０の識別情報を含む電文を、縁組されている無線親機１１０に送信してもよい。
【００３８】
（無線情報収集システム１００による検知情報収集の流れ）
以上のように縁組された無線情報収集システム１００において、検知情報を収集する流れの一例について説明する。
【００３９】
センタ側装置１１は、無線親機１１０に対して、メータ１２の検知情報の収集を要求する。要求のあった無線親機１１０は、無線子機１３０に接続されたメータ１２の検知情報の収集を要求する電文を、下流側端末に対して送信する。他方、電文を受信した無線子機１３０は、接続されているメータ１２が検知した検知情報を含む電文を、上流側端末に送信する。そして、無線親機１１０は、下流側端末から送信された検知情報をセンタ側装置１１に送信する。以上のようにして、センタ側装置１１は、メータ１２の検知情報を収集することができる。
【００４０】
［実施形態２］
本発明の実施形態２として、無線子機１３０と縁組が完了した上流側端末が行う縁組失敗表示の変形例について説明する。なお、本実施形態では、上流側端末が行う縁組失敗表示以外は実施形態１と同様であるものとして、特に記載する場合を除いて説明を省略する。
【００４１】
実施形態１においては、上流側端末が行う縁組失敗表示の一例として、上流側端末の表示部１１６に含まれるＬＥＤを点灯、点滅又は消灯させることによって行う場合について説明したが、縁組失敗の表示には、無線子機１３０と縁組した上流側端末を示す表示が含まれてもよい。以下において、無線子機１３０と縁組した上流側端末を示す表示の具体例について説明する。
【００４２】
図５は、無線子機１３０と縁組した上流側端末を示す表示の一例を示す模式図である。本実施形態においては、縁組失敗表示を行う上流側端末１１０の表示部１１６がＬＥＤ１１６１〜１１６４を備えており、ＬＥＤ１１６１〜１１６４の点灯又は消灯によって０〜９の数字を示すものである。そして、ＬＥＤ１１６１〜１１６４の点灯又は消灯を所定時間ごとに切り替えることによって、無線子機１３０の識別番号を示す表示を行うことができる。
【００４３】
図５において、ＬＥＤ１１６１〜１１６４は、横一列に並べて配置されており、実線で示したものは点灯していることを示しており、破線で示したものは消灯していることを示している。また、ＬＥＤ１１６１〜１１６４の点灯又は消灯が、図５に矢印で示した（ａ）〜（ｄ）の順番にて所定時間ごとに切り替わることによって４桁の識別番号を表示するものである。
【００４４】
（ａ）の状態において、ＬＥＤ１１６１〜１１６４のうち、ＬＥＤ１１６１のみが点灯しており、その他は消灯している。この場合、表示部１１６は、数字の「１」を示している。
【００４５】
（ｂ）の状態において、ＬＥＤ１１６１〜１１６４のうち、ＬＥＤ１１６２のみが点灯しており、その他は消灯している。この場合、表示部１１６は、数字の「２」を示している。
【００４６】
（ｃ）の状態において、ＬＥＤ１１６１〜１１６４のうち、ＬＥＤ１１６１及びＬＥＤ１１６２が点灯しており、その他は消灯している。この場合、表示部１１６は、数字の「３」を示している。
【００４７】
（ｄ）の状態において、ＬＥＤ１１６１〜１１６４のうち、ＬＥＤ１１６３のみが点灯しており、その他は消灯している。この場合、表示部１１６は、数字の「４」を示している。
【００４８】
すなわち、ＬＥＤ１１６１の点灯は、数字の「１」、ＬＥＤ１１６２の点灯は、数字の「２」、ＬＥＤ１１６３の点灯は、数字の「４」、ＬＥＤ１１６４の点灯は、数字の「８」を示しており、点灯しているＬＥＤ１１６１〜１１６４が示す数字の和によって、表示部１１６は、０〜９の数字を示すことができる。なお、表示部１１６によって数字の「０」を示す場合には、ＬＥＤ１１６１〜１１６４を全て消灯してもよいが、より解りやすい表示とすべく、ＬＥＤ１１６４及びＬＥＤ１１６２を点灯させるとともにその他を消灯させ、数字の「１０」を示す表示を行うことで行ってもよい。図５においては、上述の規則により、表示部１１６は、無線子機１３０と縁組した上流側端末の識別番号として「１２３４」を表示した場合を示している。
【００４９】
なお、本実施形態においては、表示部１１６としてＬＥＤ１１６１〜１１６４を用いる場合について説明したが、それだけに限定されない。表示部１１６としては、例えば、液晶や有機ＥＬ(Electro Luminescence)等の表示装置を用いてもよい。
【００５０】
なお、表示部１１６としてＬＥＤを用いる場合であっても、用いるＬＥＤの個数、並びに数字、文字及び符号等の表示規則は、適宜選択することができる。例えば、ＬＥＤの点灯又は消灯時間について長短を持たせることや、ＬＥＤの色を可変とすることによって４個よりも少ない個数のＬＥＤによって０〜９の数字を示すことができる。
【００５１】
［実施形態３］
本発明の実施形態３として、無線情報収集システム１００における縁組処理の流れの変形例について説明する。なお、本実施形態では、無線情報収集システム１００における縁組処理の流れ以外は実施形態１と同様であるものとして、特に記載する場合を除いて説明を省略する。
【００５２】
実施形態1においては、縁組処理において、まず、無線子機１３０が、上流側端末１及び上流側端末２に対して、自らの識別情報を含む電文を送信する場合について説明したが、まず、上流側端末から該上流側端末の識別番号を含む電文を送信するようにしてもよい。
【００５３】
この場合、作業者は、例えば、センタ側装置１１や外部設定器等にて、これから縁組を行う無線子機１３０の近くに設置された上流側端末に対して、該上流側端末の識別情報を無線子機１３０に送信するよう要求することができる。
【００５４】
なお、上流側端末から該上流側端末の識別番号を含む電文を受信した後の処理の流れは、実施形態１と同様である。
【００５５】
［実施形態４］
本発明の実施形態４として、無線情報収集システム１００が収集する検知情報の変形例について説明する。なお、本実施形態では、無線情報収集システム１００が収集する検知情報以外は実施形態１と同様であるものとして、特に記載する場合を除いて説明を省略する。
【００５６】
上述の実施形態においては、無線情報収集システム１００が収集する検知情報として、メータ１２が検知する例えばガスや水道、電気等の使用量を示す情報を収集する場合について説明したが、それだけに限定されない。
【００５７】
無線情報収集システム１００が収集する検知情報は、ガス漏れや異常な水道又は電気の使用等の情報でもよい。
【００５８】
また、無線情報収集システム１００が収集する検知情報の対象は、ガスや水道、電気等に限定されるものではなく、家電製品やＡＶ（Audio Video）・情報機器等の電気製品を対象としたものでもよい。この場合、無線情報収集システム１００が収集する検知情報としては、電気製品の電気使用量に関する情報、発生した異常を示す情報、又は電気製品に含まれる消耗品の取替に関する情報等でもよい。
【００５９】
[実施形態５]
本発明の実施形態５として、上述の実施形態の無線情報収集システム１００とは異なるネットワークトポロジを採用した変形例として、無線情報収集システム１００ａについて説明する。なお、本実施形態では、無線情報収集システム１００ａが採用するネットワークトポロジ以外は実施形態１と同様であるものとして、特に記載する場合を除いて説明を省略する。
【００６０】
図６は、無線情報収集システム１００ａ等の概要を説明する模式図である。無線情報収集システム１００ａは、所謂メッシュ型のネットワークトポロジを採用している。
【００６１】
無線情報収集システム１００ａにおいては、無線親機１１０と無線子機１３０間に加えて、無線子機１３０同士も無線にてデータ通信可能に接続されている。そして、無線親機１１０は、無線子機１３０と直接に又は他の無線子機１３０を介して、無線にてデータ通信可能に接続されている。
【００６２】
また、無線情報収集システム１００ａにおいては、データ収集の処理を実行するのに先立って、該無線情報収集システム１００に含まれる無線親機１１０と無線子機１３０との間、及び通信を行う無線子機１３０間が、上述の要領にてそれぞれ縁組される。
［まとめ］
以上説明したように、無線情報収集システムは、センタ側装置と接続された無線親機と、検知装置と接続され、該検知装置が検知した検知情報を縁組された端末に対して送信する無線子機とを備える無線情報収集システムにおいて、無線子機は、複数の相手側端末から該相手側端末の識別情報を含む電文を受信し、複数の相手側端末のうち縁組を行う一の端末の識別情報を、複数の相手側端末に対して同報送信する。
【００６３】
このように無線情報収集システムを構成することによって、無線子機との縁組の準備状態にある相手側端末は、受信した識別情報と自己の識別情報とを比較することで、無線子機との間の縁組の成否を知ることができる。そして、相手側端末は、無線子機との間の縁組が失敗した場合には、例えば、縁組の準備状態を終了して、速やかに他の処理に移行することができる。すなわち、無線子機と相手側端末との間の縁組処理を円滑に行うことができる。
【００６４】
また、相手側端末は、無線子機から電文を受信した場合、受信した識別情報と、自己の識別情報とが不一致のときには、縁組が失敗したことを示す縁組失敗表示を行ってもよい。
【００６５】
このように無線情報収集システムを構成することによって、相手側端末を操作中の作業者が無線子機との間の縁組が失敗したことを知ることができ、速やかに他の作業に取り掛かることができる。
【００６６】
縁組失敗表示には、縁組が完了した相手側端末を示す表示が含まれてもよい。
【００６７】
このように無線情報収集システムを構成することによって、相手側端末を操作中の作業者が、無線子機と他の相手側端末との間に縁組が完了したことを確認することができる。
【００６８】
縁組失敗表示は、ＬＥＤ等の点灯、点滅又は消灯によってなされてもよい。
【００６９】
このように無線情報収集システムを構成することによって、簡易な構成によって、縁組失敗表示を行うことができる。
【００７０】
無線情報収集システムは、無線親機と無線子機との間の通信を中継する中継機をさらに備え、無線子機は、無線親機又は中継機と縁組されてもよい。
【００７１】
このように無線情報収集システムは、所謂ツリー型のネットワークトポロジを採用することができる。
【００７２】
今回開示された実施の形態は、すべての点で例示であって制限的なものではない。本発明の範囲は、上記した説明ではなく、特許請求の範囲によって示さるものである。
【産業上の利用可能性】
【００７３】
本発明に係る無線情報収集システムは、例えばガス、水道又は電気の使用量等の検知情報を収集する無線情報収集システムに広く利用可能である。
【符号の説明】
【００７４】
１００  無線情報収集システム
１１０  無線親機
１１１  制御部
１１２  記憶部
１１２１  自局側ＩＤ記憶部
１１２２  他局側ＩＤ記憶部
１１３  無線通信部
１１４  アンテナ
１１５  センタ側インタフェース部
１１６  表示部
１１７  操作部
１１８  電源部
１２０  中継機
１３０  無線子機
１３１  制御部
１３２  記憶部
１３２１  自局側ＩＤ記憶部
１３２２  他局側ＩＤ記憶部
１３３  無線通信部
１３４  アンテナ
１３５  メータ側インタフェース部
１３６  表示部
１３７  操作部
１３８  電源部
１１  センタ側装置
１２  メータ
１３  回線
【図１】
2015019214.tif 000003
【図２】
2015019214.tif 000004
【図３】
2015019214.tif 000005
【図４】
2015019214.tif 000006
【図５】
2015019214.tif 000007
【図６】
2015019214.tif 000008